(57)【要約】【課題】既存の扉を加工することなく容易に取り付け／取り外しを行うことができ、セキュリティを向上させることができる施錠機能付きハンドルカバーを提供する。【解決手段】既存の扉に取り付けられた扉開閉用のハンドルをカバーする施錠機能付きハンドルカバーであって、前記扉と前記ハンドルとに挟まれて前記扉に固定されるベース部と、前記ハンドルを操作できないように覆うカバー部と、前記ベース部と前記カバー部とを連結し、前記ベース部の一端を軸にして前記カバー部を開閉可能にする蝶番部と、を備え、前記カバー部には、鍵によって前記カバー部を閉じた状態で保持可能な施錠機能を備える。【選択図】図１
0003177828.tif 000002
【実用新案登録請求の範囲】
【請求項１】
既存の扉に取り付けられた扉開閉用のハンドルをカバーする施錠機能付きハンドルカバーであって、
前記扉と前記ハンドルとに挟まれて前記扉に固定されるベース部と、
前記ハンドルを操作できないように覆うカバー部と、
前記ベース部と前記カバー部とを連結し、前記ベース部の一端を軸にして前記カバー部を開閉可能にする蝶番部と、を備え、
前記カバー部には、鍵によって前記カバー部を閉じた状態で保持可能な施錠機能を備える、
ことを特徴とする施錠機能付きハンドルカバー。
【請求項２】
前記ハンドルは、前記扉の内部に収容される本体部と、前記本体部よりも外形寸法が大きく、前記扉の表面に接触する表面部と、を備え、
前記ベース部は、前記本体部よりも大きく、前記表面部よりも小さい寸法の開口部を有し、
前記扉から一旦取り外した前記ハンドルの前記本体部を、前記ベース板の前記開口部を通して前記扉の内部に収容して固定することにより、前記ベース部が前記扉に固定される、
ことを特徴とする請求項１に記載の施錠機能付きハンドルカバー。
【請求項３】
前記ベース部及び前記カバー部は、前記カバー部を閉じた状態で互いの方向に延在する枠を備え、
前記カバー部を閉じた時に、前記ベース部の前記枠と前記カバー部の前記枠とが係合することにより、前記ベース部と前記カバー部との位置ずれが防止される、
ことを特徴とする請求項１又は２に記載の施錠機能付きハンドルカバー。
【請求項４】
前記カバー部の前記枠は、前記蝶番部の前記軸の延長線上まで延在し、前記軸の取り外しが防止される、
ことを特徴とする請求項１乃至３のいずれか一に記載の施錠機能付きハンドルカバー。
【考案の詳細な説明】
【技術分野】
【０００１】
本考案は、施錠機能付きハンドルカバーに関し、特に、既存の扉に取り付けられた扉開閉用の既存のハンドルを保護する施錠機能付きハンドルカバーに関する。
【背景技術】
【０００２】
コンピュータ装置などを設置するコンピュータルームでは、コンピュータ装置が外部からの侵入者によって不正に使用されないように、各コンピュータ装置を収納する容器（ラックやロッカー等）の扉や部屋の出入り口の扉には施錠機能付きのハンドルが取り付けられている。この施錠機能付きのハンドルとしては、鍵を開錠した状態でボタンを押すと取っ手となるハンドルが飛び出すものが多く使用されている。
【０００３】
上記コンピュータルームは、電源の管理や空調の管理が必要であり、維持費がかかることから、共同使用される場合がある。この場合、鍵が１種類であるとユーザ毎に鍵管理できないことから、ユーザ毎に鍵番号を変えた施錠機能や２重ロック機能等の必要性が生じている。
【０００４】
このようなユーザ毎に鍵番号を変えた施錠機能に関して、例えば、下記特許文献１には、電気錠の少なくとも解錠を許可する鍵の鍵番号を予め登録しておき、鍵挿入孔に挿入された鍵の鍵番号を読み取り、この読み取った鍵番号と前記予め登録された鍵番号とを照合して前記鍵挿入孔に挿入された鍵が前記電気錠に使用可能か否かを識別する鍵識別方法が開示されている。
【先行技術文献】
【特許文献】
【０００５】
【特許文献１】特開平０８−０１３８７１号公報
【考案の概要】
【考案が解決しようとする課題】
【０００６】
ユーザ毎に鍵番号を変えた施錠機能や２重ロック機能を扉に設ける場合、現状の施錠機能に代えて、ユーザ毎に鍵番号を変更可能な新たな施錠機能を取り付けるか、現状の施錠機能とは別に新たな施錠機能を追加するかのいずれかであるが、いずれの場合も既存の扉を加工しなければならず、費用及び時間が掛かり、特に、既存の扉の加工が禁止されている場合は、施錠機能の交換や追加ができないという問題があった。
【０００７】
また、このような問題は、コンピュータ装置を収納する容器の扉やコンピュータルームの出入り口に設置される扉に限らず、セキュリティを確保する必要がある空間の開口部や出入り口に設置される仕切全般に対して同様に生じる。
【０００８】
本考案は、上記問題点に鑑みてなされたものであり、その主たる目的は、既存の扉を加工することなく容易に取り付け／取り外しを行うことができ、セキュリティを向上させることができる施錠機能付きハンドルカバーを提供することにある。
【課題を解決するための手段】
【０００９】
上記目的を達成するため、本考案は、既存の扉に取り付けられた扉開閉用のハンドルをカバーする施錠機能付きハンドルカバーであって、前記扉と前記ハンドルとに挟まれて前記扉に固定されるベース部と、前記ハンドルを操作できないように覆うカバー部と、前記ベース部と前記カバー部とを連結し、前記ベース部の一端を軸にして前記カバー部を開閉可能にする蝶番部と、を備え、前記カバー部には、鍵によって前記カバー部を閉じた状態で保持可能な施錠機能を備えるものである。
【考案の効果】
【００１０】
本考案の施錠機能付きハンドルカバーによれば、既存の扉を加工することなく容易に取り付け／取り外しを行うことができ、セキュリティを向上させることができる。
【００１１】
その理由は、施錠機能付きハンドルカバーを、既存の扉と扉の開閉用の既存のハンドルとに挟まれることによって既存の扉に固定されるベース部と、既存のハンドルを操作できないように保護するカバー部と、ベース部の一端を軸にしてカバー部を開閉可能にする蝶番部と、で構成し、カバー部に設けた施錠機能を解除して、カバー部を開けることによって、既存のハンドルが操作可能になるからである。
【図面の簡単な説明】
【００１２】
【図１】本考案の一実施例に係る施錠機能付きハンドルカバーの使用状態を示す斜視図である。
【図２】本考案の一実施例に係る施錠機能付きハンドルカバーの構成を示す上面図及び側面図である。
【図３】本考案の一実施例に係る施錠機能付きハンドルカバーの構成を示す斜視図である。
【図４】本考案の一実施例に係る施錠機能付きハンドルカバーの取り付け方法を説明する斜視図である。
【考案を実施するための形態】
【００１３】
背景技術で示したように、セキュリティを確保する必要がある空間の開口部や出入り口に設置される扉には、施錠機能付きのハンドルが設けられているが、その空間を複数のユーザが共同使用する場合には、ユーザ毎に鍵番号を変えた施錠機能や２重ロック機能等にする必要がある。
【００１４】
しかしながら、既存の施錠機能に代えてユーザ毎に鍵番号を変更可能な新たな施錠機能を取り付けたり、既存の施錠機能とは別に新たな施錠機能を追加したりするためには、既存の扉を加工しなければならず、費用及び時間が掛かるという問題が生じる。また、既存の扉の加工が禁止されている場合には、施錠機能の交換や追加ができない。また、共有の空間に限らず、単一のユーザが使用する空間であってもその空間のセキュリティを高める場合には同様の問題が生じる。
【００１５】
そこで、本考案の一実施の形態では、既存の扉を加工することなく、既存の施錠機能をそのまま利用可能にしつつ、ユーザ毎に鍵番号を変更可能にするために、施錠機能付きハンドルカバーを、既存の扉と既存のハンドルとに挟まれることによって既存の扉に固定されるベース部と、既存のハンドルの操作を禁止するカバー部と、ベース部の一端を軸にしてカバー部を開閉可能にする蝶番部と、で構成し、カバー部に設けた施錠機能によってユーザ毎に鍵番号を変えた施錠を可能とし、施錠機能を解除してカバー部を開けることによって既存のハンドルの操作ができるようにする。また、ベース部とカバー部の双方に枠を設け、カバー部を閉じた状態で双方の枠を接触させることにより、ベース部とカバー部の位置ずれを防止し、また、蝶番部の軸の延長線上をカバー部で覆うことにより、イタズラを防止することができる。
【００１６】
このような構造により、既存の扉を加工することなく容易に取り付け／取り外しを行うことができ、セキュリティを向上させることができる。以下、図面を参照して説明する。
【実施例】
【００１７】
本考案の一実施例に係る施錠機能付きハンドルカバーについて、図１乃至図４を参照して説明する。図１は、本実施例の施錠機能付きハンドルカバーの使用方法を説明する斜視図である。また、図２は、本実施例の施錠機能付きハンドルカバーの構成を示す上面図及び側面図であり、図３は、本実施例の施錠機能付きハンドルカバーの構成を示す斜視図である。また、図４は、本実施例の施錠機能付きハンドルカバーの取り付け方法を説明する斜視図である。
【００１８】
図１に示すように、本実施例の施錠機能付きハンドルカバー１０は、空間を仕切る既存扉１と、その既存扉１に設置された扉開閉用の既存のハンドル（既存ハンドル２と呼ぶ。）と、を利用して取り付けるものである。なお、本実施例では、既存ハンドル２として、施錠機能を解除してボタンを押すとハンドルが飛び出し、そのハンドルを取っ手にして既存扉１の開閉が可能になる構成とするが、既存ハンドル２は、既存扉１に設置された扉開閉用の取っ手であればよく、その構成は図の記載に限定されない。
【００１９】
上記施錠機能付きハンドルカバー１０は、既存扉１と既存ハンドル２との間に一部が挟まれることによって既存扉１に固定されるベース部（ハンドル変換ベース３と呼ぶ。）と、既存ハンドル２の周囲を覆い、既存ハンドル２を操作できないように保護するカバー部（システムハンドルカバー４と呼ぶ。）と、ハンドル変換ベース３とシステムハンドルカバー４とを連結し、ハンドル変換ベース３の一端を軸にしてシステムハンドルカバー４を開閉可能にする蝶番部（本実施例は、平型蝶番７とする。）と、で構成され、これらは、金属等の強度を有する部材を用いて形成されている。以下、図１及び施錠機能付きハンドルカバー１０の詳細構造を示す図２、図３を参照して詳細に説明する。
【００２０】
既存ハンドル２は、既存扉１の内部に収容される本体部と、本体部よりも外形寸法が大きく、既存ハンドル２が既存扉１に完全に入り込まないように既存扉１の表面に接触する表面部と、を備えている。そして、ハンドル変換ベース３のベース板には、既存ハンドル２の本体部は通るが、表面部は通らない寸法の開口部が設けられており、この開口部に本体部を通すことより、既存扉１と既存ハンドル２との間にベース板が挟まれて、ハンドル変換ベース３が既存扉１に固定されるようになっている。
【００２１】
また、ハンドル変換ベース３には、システムハンドルカバー４に設けられる施錠手段（本実施例では、鍵番号違い施錠８と呼ぶ。）に対向する位置に施錠ブラケット５が設けられており、鍵番号違い施錠８を施錠した時に鍵番号違い施錠８の突起部が施錠ブラケット５に係合して、システムハンドルカバー４が開かないようになっている。この施錠ブラケット５は、例えば、金属からなるベース板の一端を折り曲げ、折り曲げた先端を加工することにより形成することができる。
【００２２】
また、ハンドル変換ベース３の一端には平型蝶番７が固定され、システムハンドルカバー４が開閉できるようになっており、ハンドル変換ベース３の他端には緩衝材（本実施例では、ゴムストッパ６とする。）が設けられ、システムハンドルカバー４を閉めた時の、システムハンドルカバー４の構造物とハンドル変換ベース３の構造物との衝突の衝撃を和らげるようになっている。
【００２３】
また、ハンドル変換ベース３の側部は、金属からなるベース板がほぼ直角に折り曲げられており、システムハンドルカバー４を閉じたときに、システムハンドルカバー４の側部と係合することにとり、システムハンドルカバー４がハンドル変換ベース３に対してずれないようにする横ずれ防止機能が設けられている。
【００２４】
なお、本実施例では、ハンドル変換ベース３を金属からなるベース板を加工して形成する構成とするが、ベース板は既存扉１に確実に固定され、平型蝶番７によってシステムハンドルカバー４を確実に開閉できる強度を備えた材料で形成されていればよい。
【００２５】
システムハンドルカバー４の表面側には、システムハンドルカバー４をハンドル変換ベース３に固定するための施錠手段（鍵番号違い施錠８）が設けられており、鍵番号違い施錠８に鍵９を挿入して回転することにより、鍵番号違い施錠８に取り付けられた突起部が回転してハンドル変換ベース３の施錠ブラケット５に係合して開かないような構造になっている。なお、本実施例では、ユーザ毎に鍵管理ができるように鍵番号違い施錠８を用いているが、ユーザ毎の鍵管理が必要なく、単に２重ロックにすればよい場合は、単一の鍵９で施錠／開錠が可能な構造としてもよい。また、本実施例では、鍵番号違い施錠８をシステムハンドルカバー４の表面側に設けたが、側面側に設けてもよいし、カードなどを用いて施錠／開錠が可能な構造としてもよい。
【００２６】
また、システムハンドルカバー４の一端には平型蝶番７が固定され、ハンドル変換ベース３に対して開閉できるようになっている。また、平型蝶番７を固定する部分は平型蝶番７の軸の延長線上を覆う構造となっており、外部から平型蝶番７の軸を外してシステムハンドルカバー４が取り外されることがないようにする蝶番いたずら防止機能が設けられている。
【００２７】
また、システムハンドルカバー４の側部は、金属からなる部材がほぼ直角に折り曲げられており、システムハンドルカバー４を閉じたときに、ハンドル変換ベース３の側部と係合することにより、上記横ずれ防止機能が発揮できるようになっている。
【００２８】
このように、ハンドル変換ベース３は、既存ハンドル２によって既存扉１に固定され、既存ハンドル２は、システムハンドルカバー４によって確実に保護されるため、既存ハンドル２を利用しつつ、既存扉１のセキュリティを高めることができる。また、システムハンドルカバー４には施錠手段が設けられており、横ずれ防止機能や蝶番いたずら防止機能によってシステムハンドルカバー４の不正な取り外しが防止されるため、既存扉１のセキュリティを高めることができる。
【００２９】
なお、図１乃至図３は、本実施例の施錠機能付きハンドルカバー１０の一例であり、少なくとも、既存扉１と既存ハンドル２に固定可能であり、鍵によって既存ハンドル２が操作可能になる構造であればよい。また、本実施例では、システムハンドルカバー４が下側に開く構成としているが、上側に開く構成としてもよいし、右側又は左側に開く構成としてもよい。また、既存ハンドル２が横長の場合は、施錠機能付きハンドルカバー１０を横向きに設置してもよい。
【００３０】
次に、上記構成の施錠機能付きハンドルカバー１０の取り付け方法について、図４の斜視図を参照して説明する。
【００３１】
まず、図４（ａ）に示すように、既存扉１に既存ハンドル２が取り付けられている状態において、例えば、既存扉１の裏面からねじを外すなどの操作を行い、図４（ｂ）に示すように、既存扉１から既存ハンドル２を取り外す。この既存ハンドル２は、上述したように、既存扉１の開口部に収容される本体部と、既存扉１の表面に接触する表面部とで構成されている。なお、既存ハンドル２の取り外し方法は、既存扉１及び既存ハンドル２の構造により適宜変更可能である。
【００３２】
次に、図４（ｃ）に示すように、施錠機能付きハンドルカバー１０のハンドル変換ベース３を既存扉１の表面に接触させ、ハンドル変換ベース３の開口部と既存扉１の開口部の位置を合わせた状態で、既存ハンドル２の本体部をそれらの開口部に差し込み、既存ハンドル２の表面部でハンドル変換ベース３の開口部の周囲を抑え、既存ハンドル２を既存扉１に再び固定する。その際、既存ハンドル２のベース板を薄い金属板等で形成すれば、既存ハンドル２を既存扉１に固定する障害となることはない。また、ハンドル変換ベース３の側部の盛り上がりは低いため、既存ハンドル２による既存扉１の開閉動作の障害となることはない。
【００３３】
このように、本実施例の施錠機能付きハンドルカバー１０は、既存扉１を加工することなく、既存ハンドル２を用いて簡単に取り付けることができるため、設置費用及び設置時間を削減することができる。また、施錠機能付きハンドルカバー１０を取り外せば、元の状態に復帰させることができるため、任意の場所に設置されている既存扉１に適用することができる。
【００３４】
なお、本考案は上記実施例に限定されるものではなく、その構成は適宜変更可能である。例えば、上記実施例では、既存の扉に設置された施錠機能付きの既存のハンドルに本実施例の施錠機能付きハンドルカバーを設置する構成としたが、施錠機能のないハンドルに対して本実施例の施錠機能付きハンドルカバーを設置することも可能である。
【産業上の利用可能性】
【００３５】
本考案は、開閉のためのハンドルを備えた任意の扉に利用可能である。
【符号の説明】
【００３６】
１  既存扉
２  既存ハンドル
３  ハンドル変換ベース
４  システムハンドルカバー
５  施錠ブラケット
６  ゴムストッパ
７  平型蝶番
８  鍵番号違い施錠
９  鍵
１０  施錠機能付きハンドルカバー
【図１】
0003177828.tif 000003
【図２】
0003177828.tif 000004
【図３】
0003177828.tif 000005
【図４】
0003177828.tif 000006